(57)【特許請求の範囲】
【請求項１】
座板を上部に有し、前側が開放され、内部が空洞の基台と、該基台の内部に前側から出し入れ自在に収納される、上部が開放された引き出しと、前記基台から引き出された引き出しの上部開放部にセットされるパネルとを備えたソファーベッドであって、
前記パネルは、前記座板に対しヒンジで回動可能に連結され、前記引き出しが前記基台に収納されているとき、前記座板の上に重ねられてソファーの座面を形成し、前記引き出しが前記基台から引き出されているとき、前記ヒンジ回りに回動され前記引き出しの上部開放部にセットされてベッドの床板を形成し、
前記基台、引き出し、およびパネルは、それぞれ左右一対の組立体として構成され、かつそれら左右の組立体は、左右方向に延びるレールで連結されていて該レールに案内されて離間可能に構成され、
左右の組立体の離間時に、当該離間空間の上部を塞いでベッドの床板の一部を形成する閉じ板を備えていることを特徴とするソファーベッド。
【請求項２】
座板を上部に有し、前側が開放され、内部が空洞の基台と、該基台の内部に前側から出し入れ自在に収納される、上部が開放された引き出しと、前記基台から引き出された引き出しの上部開放部にセットされるパネルとを備えたソファーベッドであって、
前記基台、引き出し、およびパネルは、それぞれ左右一対の組立体として構成され、かつそれら左右の組立体は、左右方向に延びるレールで連結されていて該レールに案内されて離間可能に構成され、
左右の組立体の離間時に、当該離間空間の上部を塞いでベッドの床板の一部を形成する閉じ板を備えていることを特徴とするソファーベッド。
【発明の詳細な説明】
【技術分野】
【０００１】
本発明は、ソファーベッドに関するものである。
【背景技術】
【０００２】
従来、例えば特許文献１に見られるように、座板（７）を上部に有し、前側が開放され、内部が空洞の基台（３）と、該基台（３）の内部に前側から出し入れ自在に収納される、上部が開放された引き出し（６）と、前記基台（３）から引き出された引き出し（６）の上部開放部にセットされるパネル（２０）とを備えたソファーベッドが知られている。パネル（２０）は別途用意され、引き出し（６）の開放部にセットされた際には、座板（７）とともにベッドの床板を形成する。
このソファーベッドは、引き出し（６）を基台（３）内に収納した状態でソファーとして利用でき、引き出しを引き出してからパネル（２０）を引き出しの開放部にセットすることによりベッドとして利用することができる。また、引き出し（６）には衣類や小物を収納することができ、床板には敷き布団等を敷くことができる。
【０００３】
しかしながら、このソファーベッドは、パネル（２０）を引き出しの開放部にセットする作業が繁雑である。また、パネル（２０）を別途用意しておく必要があるため、パネル（２０）の収納場所も必要となる。
【０００４】
また、従来、例えば特許文献２に見られるように、引き出し（５）の上面に折れ蓋（５４）を設け、折れ蓋（５４）の奥行き方向中央に蝶番を設けて前半部（５５）と後半部（５６）とに分け、ベッドとして使用する際には、同文献第４図に示すように引き出し（５）を半分引き出し、後半部（５６）を前半部（５５）側に折り返して後半部（５６）で床板の一部を形成することができるソファーベッドも知られている。
【０００５】
しかし、このソファーベッドは、引き出し（５）の折れ蓋（５４）で形成される床板部分は引き出し（５）の奥行き方向長さの半分であるため、所望のベッド幅（奥行き方向長さ）を得ようとすると、長いす本体（１）の座板（２）および引き出し（５）の奥行き方向長さを大きくせざるを得ない場合があり、その場合には、長いす本体（１）の座板（２）の奥行き方向長さが必要以上に大きくなって、ソファーとしての使い勝手が悪くなるおそれがある。
また、折れ蓋（５４）の後半部（５６）を前半部（５５）側に折り返して後半部（５６）で床板の一部を形成するためには、引き出し（５）を一旦全部引き出し、後半部（５６）を前半部（５５）側に折り返した後、再び引き出し（５）を半分収める必要があり、こららの作業が繁雑である。
【先行技術文献】
【特許文献】
【０００６】
【特許文献１】特開２０１２−８１２３４号公報
【特許文献２】実開昭５８−０１７０５８号公報
【発明の概要】
【発明が解決しようとする課題】
【０００７】
本発明が解決しようとする課題は、ソファーからベッドへの変更作業が簡単なソファーベッドを提供することである。
【課題を解決するための手段】
【０００８】
上記課題を解決するために本発明のソファーベッドは、
座板を上部に有し、前側が開放され、内部が空洞の基台と、該基台の内部に前側から出し入れ自在に収納される、上部が開放された引き出しと、前記基台から引き出された引き出しの上部開放部にセットされるパネルとを備えたソファーベッドであって、
前記パネルは、前記座板に対しヒンジで回動可能に連結され、前記引き出しが前記基台に収納されているとき、前記座板の上に重ねられてソファーの座面を形成し、前記引き出しが前記基台から引き出されているとき、前記ヒンジ回りに回動され前記引き出しの上部開放部にセットされてベッドの床板を形成し、
前記基台、引き出し、およびパネルは、それぞれ左右一対の組立体として構成され、かつそれら左右の組立体は、左右方向に延びるレールで連結されていて該レールに案内されて離間可能に構成され、
左右の組立体の離間時に、当該離間空間の上部を塞いでベッドの床板の一部を形成する閉じ板を備えていることを特徴とする。
【０００９】
このソファーベッドによれば、基台から引き出された引き出しの上部開放部にセットされるパネルが、座板に対しヒンジで回動可能に連結され、引き出しが基台に収納されているとき、前記座板の上に重ねられてソファーの座面を形成し、引き出しが前記基台から引き出されているとき、ヒンジ回りに回動され引き出しの上部開放部にセットされてベッドの床板を形成するので、ソファーとして使用する際には、基台に引き出しを収納し、座板の上にパネルを重ねて該パネルでソファーの座面を形成することにより、ソファーとして使用することができ、ベッドとして使用する際には、基台から引き出しを引き出し、パネルをヒンジ回りに回動させて引き出しの上部開放部にセットし、該パネルでベッドの床板を形成することにより、ベッドとして使用することができる。
すなわち、このソファーベッドによれば、ソファーからベッドへの変更は、基台から引き出しを引き出し、パネルをヒンジ回りに回動させて引き出しの上部開放部にセットするという簡単な作業で行うことができる。
また、ベッドからソファーへの変更も、パネルを引き出しの上部開放部からヒンジ回りに基台の座板上に回動させ、引き出しを基台に収納するという簡単な作業で行うことができる。
しかも、ソファーとして使用する際には、パネル自体がソファーの座面を形成するから、特別に別途パネルの収納場所を用意する必要もない。
また、基台、パネル、および引き出しの奥行き寸法は略同じに構成できるから、特許文献２のものとは異なり、所望のベッド幅（奥行き方向長さ）を得るにあたり、ソファーとしての奥行き方向長さが必要以上に大きくなって使い勝手が悪くなるおそれもない。
【００１０】
また、このソファーベッドは、
前記基台、引き出し、およびパネルは、それぞれ左右一対の組立体として構成され、かつそれら左右の組立体は、左右方向に延びるレールで連結されていて該レールに案内されて離間可能に構成され、
左右の組立体の離間時に、当該離間空間の上部を塞いでベッドの床板の一部を形成する閉じ板を備えていることを特徴とする。
このように構成すると、必要に応じ（例えば、利用者の身長に合わせ）左右の組立体をレールに案内させて離間させ、当該離間空間の上部を閉じ板塞いで長尺のベッドを構成することが可能になる。
逆に言えば、ソファーとしての使用時には、コンパクトなソファーとすることが可能になる。
【図面の簡単な説明】
【００１１】
【図１】本発明に係るソファーベッドの一実施の形態を示す斜視図。
【図２】（ａ）（ｂ）はベッドへの変更作業を説明ずる斜視図。
【図３】図２（ａ）における３−３断面図。
【図４】図２（ｂ）における４−４断面図。
【図５】（ａ）（ｂ）はそれぞれ他の使用状態を説明ずる斜視図。
【図６】ヒンジ部を示す図で、（ａ）は平面図、（ｂ）はパネル３０を座板１１上に重ねた状態の断面図、（ｃ）はパネル３０を座板１１上から開いた状態の断面図。
【図７】（ａ）は他の実施の形態を示す斜視図、（ｂ）はベッドへの変更作業を説明ずる斜視図。
【図８】（ａ）（ｂ）はベッドへの変更作業を説明ずる斜視図。
【図９】ベッドとしての使用状態を示す斜視図。
【図１０】図８（ｂ）における１０−１０断面図。
【発明を実施するための形態】
【００１２】
以下、本発明に係るソファーベッドの実施の形態について図面を参照して説明する。なお、各図において、同一部分ないし相当する部分には、同一の符号を付してある。
【００１３】
図１〜図４に示すソファーベッド１は、基台１０と、引き出し２０と、パネル３０とを備えている。
基台１０は、座板１１を上部に有し、前側１２（図２（ａ），図４参照）が開放され、内部１３（図４）が空洞になっている。
【００１４】
図２〜図４に示すように、引き出し２０は上部２１が開放されており、基台１０の内部１３に前側１２から出し入れ自在に収納される。
【００１５】
図２，図４に示すように、パネル３０は、基台１０から引き出された引き出し２０の上部開放部２１にセットされるものである。
【００１６】
パネル３０は、基台１０の座板１１に対しヒンジ３１で回動可能に連結され、図１に示すように引き出し２０が基台１０に収納されているとき、座板１１の上に重ねられてソファー１の座面１ｓを形成する。また、図２、図４に示すように引き出し２０が前記基台１０から引き出されているとき、矢印Ｂで示すようにヒンジ３１回りに回動され引き出し２０の上部開放部２１にセットされて基台１０の座板１１とともにベッド１の床板１ｂを形成する。
【００１７】
このソファーベッド１によれば、基台１０から引き出された引き出し２０の上部開放部２１にセットされるパネル３０が、座板１１に対しヒンジ３１で回動可能に連結され、引き出し２０が基台１０に収納されているとき、座板１１の上に重ねられてソファーの座面１ｓを形成し、引き出し２０が基台１０から引き出されているとき、ヒンジ３１回りに回動され引き出し２０の上部開放部２１にセットされてベッドの床板１ｂを形成するので、図１に示すようにソファーとして使用する際には、基台１０に引き出し２０を収納し、座板１１の上にパネル３０を重ねて該パネル３０でソファーの座面１ｓを形成することにより、ソファーとして使用することができ、図２（ｂ）および図４に示すようにベッドとして使用する際には、基台１０から引き出し２０を引き出し、パネル３０をヒンジ３１回りに回動させて引き出し２０の上部開放部２１にセットし、該パネル３０でベッドの床板１ｂを形成することにより、ベッドとして使用することができる。
【００１８】
すなわち、このソファーベッド１によれば、ソファー（図１）からベッド（図２（ｂ））への変更は、基台１０から引き出し２０を引き出し、パネル３０をヒンジ３１回りに回動させて引き出し２０の上部開放部２１にセットするという簡単な作業で行うことができる。
【００１９】
また、ベッド（図２（ｂ））からソファー（図１）への変更も、パネル３０を引き出し２０の上部開放部２１からヒンジ３１回りに基台１０の座板１１上に回動させ、引き出し２０を基台１０に収納するという簡単な作業で行うことができる。
【００２０】
しかも、ソファーとして使用する際には、パネル３０自体がソファーの座面１ｓを形成するから、特別に別途パネル３０の収納場所を用意する必要もない。
また、基台１０、パネル３０、および引き出し２０の奥行き寸法Ｗ（図４）は略同じに構成できるから、特許文献２のものとは異なり、所望のベッド幅（奥行き方向長さ）を得るにあたり、ソファーとしての奥行き方向長さ（Ｗ）が必要以上に大きくなって使い勝手が悪くなるおそれもない。
【００２１】
主として図５に示すように、このソファーベッド１は、前記基台１０、引き出し２０、およびパネル３０が、それぞれ左右一対の組立体１ａとして構成されている。
したがって、図５（ａ）に示すように左右に分割可能であり、図５（ｂ）に示すように、対面型ソファーとしても使用することができる。
左右の組立体１ａ同士の結合は適宜の接続金具を用いて行うことができる。
【００２２】
主として図３〜図５に示すように、基台１０は、左右の側板１４，１４と、これら側板１４、１４の後部にそれぞれ結合されて上方に伸びて背板１７を支持する背板支持板１４ｂ、１４ｂと、これら背板支持板１４ｂの後部同士を結合する後板１５（図４）と、前記側板１４，１４および後板１５の上部を結合する前記座板１１と、左右の側板１４の下部同士を前後において連結する連結部材（横架部材）１６、１６（図４）と、組立体１ａ同士を結合した際に外側となる側板１４に対してボルト１９ｂで着脱可能に固定されて肘掛け１８の前後を下方から支持する肘掛け支持板１９、１９とを備えている。
【００２３】
背板１７は上下の背板１７ｂ、１７ｃとからなり、これら背板１７ｂ、１７ｃは背板支持板１４ｂ、１４ｂの上部に結合されている。肘掛け支持板１９、１９の上部同士および下背板１７は肘掛け１８で連結されている。
【００２４】
図２（ｂ）に示すようにベッドとして使用する際、肘掛け１８が邪魔になるような場合には、ボルト１９ｂを外して、肘掛け１８および肘掛け支持板１９を基台１０から取り外すことができる。なお、床板１ｂ上には、和布団、マットレス、ベッドマット、畳などを置くことができる。
【００２５】
図２〜図４に示すように、引き出し２０は、上部２１が開放された箱形であり、基台１０の側板１４，１４の内側に設けられたガイド部材１４ｇおよびガイドレール１４ｒにより案内されて基台１０内に出し入れされる。
【００２６】
引き出し２０の底部２４の左右にはキャスター２５が設けられている。
引き出し２０の前板２２の上部には、引き出し２０を引き出す際の指掛け部２２ｂが設けられている。
【００２７】
図６に示すように、パネル３０は、基台１０の座板１１に対しヒンジ３１で回動可能に連結されている。
ヒンジ３１は、ビス３１ｂでパネル３０と基台１０の座板１１とに固定されている。
【００２８】
パネル３０は、図６（ｃ）に示すように引き出し２０上に回動させたとき、引き出し２０の上縁部２１ｅと当接して引き出し２０で受け止められ、基台１０の座板１１とともにベッド１の床板１ｂを形成する。
【００２９】
引き出し２０の出し入れを円滑にするため、引き出し２０の上縁部２１ｅと座板１１の下面との間には隙間Ｃが設けられている。そのため、この実施の形態では、パネル３０の厚さｔ２を座板１１の厚さｔ１に比べて前記隙間Ｃの分だけ厚くし、パネル３０を図６（ｃ）に示すように引き出し２０上に回動させたときのパネル上面（１ｂ）と座板１１の上面（１ｂ）とが面一となるようにしている。
【００３０】
図７〜図１０は他の実施の形態を示している。
図７〜図１０に示すソファーベッド１’は、
基台１０、引き出し２０、およびパネル３０がそれぞれ左右一対の組立体１ａ’として構成され、かつそれら左右の組立体１ａ’は、左右方向に延びるレールＲで連結されていて該レールＲに案内されて離間可能に構成され、
左右の組立体１ａ’の離間時に、当該離間空間Ｓ（図８（ｂ））の上部を塞いでベッドの床板１ｂの一部１ｂ１（図９）を形成する閉じ板４１，４２を備えている。
【００３１】
このように構成すると、必要に応じ（例えば、利用者の身長に合わせ）左右の組立体１ａ’をレールＲに案内させて離間させ、当該離間空間Ｓの上部を閉じ板４１，４２で塞いで長尺のベッド（図９）を構成することが可能になる。
逆に言えば、図７（ａ）に示すようにソファーとしての使用時には、コンパクトなソファーとすることが可能になる。
【００３２】
このソファーベッド１’をソファー（図７（ａ））からベッド（図９）へ変更する操作は次の通りである。
（１）図７（ａ）に示す状態から左右の組立体１ａ’同士をレールＲに案内させて図７（ｂ）に示すように離間させる。この際、左右の組立体１ａ’のどちらを移動させても良い。レールＲは左右の組立体１ａ’のどちらかに固定しても良いし、どちらに対してもスライド可能としても良い。いずれの場合もレールＲの端部と組立体１ａ’との間には、相対スライド量を規制するストッパを設ける。
【００３３】
（２）図８（ａ）に示すように左右それぞれの基台１０から引き出し２０を引き出し、左右のパネル３０をヒンジ３１回りに回動させて図８（ｂ）に示すように引き出し２０の上部開放部２１にセットする。
【００３４】
（３）図９に示すように、離間空間Ｓの上部を閉じ板４１，４２で塞いでベッドの床板１ｂを形成する。
ベッドからソファーへの変更は逆の操作を行えば良い。
【００３５】
閉じ板４１は基台１０の座板１１同士の間を塞ぐ閉じ板であり、座板１１同士の対向部に設けられた段部１１ｄ、１１ｄ（図８（ｂ）において一方のみ図示）に載置される。したがって、図７（ｂ）に示すように、組立体１ａ’同士を離間させた状態で、段部１１ｄ、１１ｄ上に閉じ板４１をセットすることも可能であり、この場合、閉じ板４１は物置台として利用することもできる。
【００３６】
閉じ板４２は、引き出された引き出し２０上にセットされたパネル３０同士の間を塞ぐ閉じ板であり、左右のパネル３０の相対向する側に形成された段部３０ｄ（図８）上に載置される。
【００３７】
図１０に示すように、基台１０は、前述した連結部材（横架部材）１６および後板１５で、レールＲに対する被ガイド部を構成することができる。
【００３８】
以上、本発明の実施の形態について説明したが、本発明は上記の実施の形態に限定されるものではなく、本発明の要旨の範囲内において適宜変形実施可能である。
【符号の説明】
【００３９】
１：    ソファーベッド
１ａ：    組立体
１ｂ：    床板
１０：    基台
１１：    座板
１２：    前側
１３：    空洞
２０：    引き出し
２１：    上部開放部２１
３０：    パネル
３１：    ヒンジ
４１，４２：  閉じ板
Ｒ：    レール
【図１】
0006454521.tif 000002
【図２】
0006454521.tif 000003
【図３】
0006454521.tif 000004
【図４】
0006454521.tif 000005
【図５】
0006454521.tif 000006
【図６】
0006454521.tif 000007
【図７】
0006454521.tif 000008
【図８】
0006454521.tif 000009
【図９】
0006454521.tif 000010
【図１０】
0006454521.tif 000011